(57)【要約】  本発明の実施例は、リソース特定方法、基地局及び移動局を提供する。本発明実施例に係る基地局によって実行されるリソース特定方法は、基地局に対応する複数の移動局グループにおけるそれぞれの移動局グループについて、該移動局グループに用いられる上り伝送のリソース設定を特定することと、基地局に接続される移動局が、該移動局の属する移動局グループのリソース設定及びリソースオフセットセットにおけるリソース候補オフセットに従って、該移動局の上り伝送リソースを特定するように、複数の移動局グループに用いられる、複数のリソース候補オフセットを含むリソースオフセットセットを特定することと、を含む。
2019528631.tif 000002
【特許請求の範囲】
【請求項１】
基地局によって実行されるリソース特定方法であって、
前記基地局に対応する複数の移動局グループにおけるそれぞれの移動局グループについて、該移動局グループに用いられる上り伝送のリソース設定を特定することと、
前記基地局に接続される移動局が、該移動局の属する移動局グループのリソース設定及びリソースオフセットセットにおけるリソース候補オフセットに従って、該移動局の上り伝送リソースを特定するように、前記複数の移動局グループに用いられる、複数のリソース候補オフセットを含む前記リソースオフセットセットを特定することと、を含む、リソース特定方法。
【請求項２】
前記基地局に対応する複数の移動局グループにおけるそれぞれの移動局グループについて、該移動局グループに用いられる上り伝送のリソース設定を特定することは、
前記基地局に対応する複数の移動局グループにおけるそれぞれの移動局グループについて、該移動局グループに対応するチャネル状態に従って、該移動局グループに用いられる上り伝送のリソース設定を特定することを含む、請求項１に記載のリソース特定方法。
【請求項３】
パスロスに従って前記チャネル状態を特定し、
前記基地局に対応する複数の移動局グループにおけるそれぞれの移動局グループについて、該移動局グループに用いられる上り伝送のリソース設定を特定することは、
前記複数の移動局グループにおける第１の移動局グループの第１のリソース設定を特定することと、
前記複数の移動局グループにおける第２の移動局グループの第２のリソース設定を特定することと、を含み、
前記第１の移動局グループのパスロスが前記第２の移動局グループのパスロスより小さい場合、前記第１のリソース設定によって指示される第１の時間リソースは、前記第２のリソース設定によって指示される第２の時間リソースよりも少なく、かつ、第１のリソース設定によって指示される第１の周波数リソースは、前記第２のリソース設定によって指示される第２の周波数リソースよりも多い、請求項２に記載のリソース特定方法。
【請求項４】
前記複数の移動局グループにおける第２の移動局グループの第２のリソース設定によって指示される第２の時間リソースのサイズは、前記複数の移動局グループにおける第１の移動局グループの第１のリソース設定によって指示される前記第１の時間リソースのサイズの整数倍であり、
前記第１のリソース設定によって指示される第１の周波数リソースのサイズは、前記第２のリソース設定によって指示される前記第２の周波数リソースのサイズの整数倍である、請求項１ないし３のいずれか一項に記載のリソース特定方法。
【請求項５】
前記複数の移動局グループに用いられるリソースオフセットセットを特定することは、
前記複数の移動局グループに用いられる一つの共通リソースオフセットセットを特定することを含む、請求項１ないし３のいずれか一項に記載のリソース特定方法。
【請求項６】
前記共通リソースオフセットセットにおけるそれぞれのリソース候補オフセットは、基本オフセットの整数倍である、請求項５に記載のリソース特定方法。
【請求項７】
前記複数の移動局グループにおける一つの移動局グループの上り伝送リソースエレメントに従って前記基本オフセットを特定することをさらに含み、
上り伝送リソースエレメントは、該移動局グループにおける移動局による一回の上り伝送に使用されるリソースである、請求項６に記載のリソース特定方法。
【請求項８】
それぞれの移動局グループの上り伝送回数を特定することをさらに含む、請求項１ないし３のいずれか一項に記載のリソース特定方法。
【請求項９】
それぞれの移動局グループにおける移動局へ前記リソース設定に関する設定情報及び前記リソースオフセットセットに関するオフセットセット情報を送信することをさらに含む、請求項１ないし３のいずれか一項に記載のリソース特定方法。
【請求項１０】
それぞれの移動局グループにおける移動局へ前記上り伝送回数に関する再送情報を送信すること
をさらに含む、請求項８に記載のリソース特定方法。
【請求項１１】
移動局によって実行されるリソース特定方法であって、
前記移動局に接続される基地局に対応する複数の移動局グループにおいて、前記移動局が属する第１の移動局グループを特定することと、
前記第１の移動局グループに用いられる上り伝送の第１のリソース設定及びリソースオフセットセットを取得することと、
前記リソースオフセットセットに含まれる複数のリソース候補オフセットから、第１のリソース候補オフセットを選択することと、
前記第１のリソース設定及び前記第１のリソース候補オフセットに従って、前記移動局の上り伝送リソースを特定することと、を含む、リソース特定方法。
【請求項１２】
前記第１のリソース設定及び前記第１のリソース候補オフセットに従って、前記移動局の上り伝送リソースを特定することは、
前記複数の移動局グループにおける移動局の共通上り伝送参照リソースである上り伝送参照リソース及び前記第１のリソース候補オフセットに従って、前記移動局の上り伝送の開始位置を特定することと、
前記第１のリソース設定及び前記開始位置に従って、前記移動局の上り伝送リソースを特定することと、を含む、請求項１１に記載のリソース特定方法。
【請求項１３】
前記第１の移動局グループの上り伝送回数を特定することと、
特定された上り伝送回数に従って、前記移動局の上り伝送リソースにおいて、同一情報について繰り返して上り伝送を行うことと、をさらに含む、請求項１１又は１２に記載のリソース特定方法。
【請求項１４】
前記移動局に接続される基地局に対応する複数の移動局グループにおいて、前記移動局が属する第１の移動局グループを特定することは、
前記移動局のチャネル状態に従って、前記移動局に接続される基地局に対応する複数の移動局グループにおいて、前記移動局が属する第１の移動局グループを特定することを含む、請求項１１又は１２に記載のリソース特定方法。
【請求項１５】
パスロスに従って前記チャネル状態を特定することをさらに含み、
前記第１の移動局グループのパスロスが複数の移動局グループにおける第２の移動局グループのパスロスより小さい場合、前記第１のリソース設定によって指示される第１の時間リソースは、前記第１の移動局グループに用いられる上り伝送の第２のリソース設定によって指示される第２の時間リソースよりも少なく、かつ、第１のリソース設定によって指示される第１の周波数リソースは、前記第２のリソース設定によって指示される第２の周波数リソースよりも多い、請求項１４に記載のリソース特定方法。
【請求項１６】
前記複数の移動局グループにおける第２の移動局グループの第２のリソース設定によって指示される第２の時間リソースのサイズは、前記複数の移動局グループにおける第１の移動局グループの第１のリソース設定によって指示される前記第１の時間リソースのサイズの整数倍であり、
前記第１のリソース設定によって指示される第１の周波数リソースのサイズは、前記第２のリソース設定によって指示される前記第２の周波数リソースのサイズの整数倍である、請求項１４に記載のリソース特定方法。
【請求項１７】
前記リソースオフセットセットは、前記複数の移動局グループに用いられる共通リソースオフセットセットである、請求項１１又は１２に記載のリソース特定方法。
【請求項１８】
前記共通リソースオフセットセットにおけるそれぞれのリソース候補オフセットは、基本オフセットの整数倍である、請求項１７に記載のリソース特定方法。
【請求項１９】
前記複数の移動局グループにおける一つの移動局グループの上り伝送リソースエレメントに従って前記基本オフセットを特定することをさらに含み、
上り伝送リソースエレメントは、該移動局グループにおける移動局による一回の上り伝送に使用されるリソースであることをさらに含む、請求項１８に記載のリソース特定方法。
【請求項２０】
基地局に対応する複数の移動局グループにおけるそれぞれの移動局グループについて、該移動局グループに用いられる上り伝送のリソース設定を特定するように配置される設定特定部と、
前記基地局に接続される移動局が、該移動局の属する移動局グループのリソース設定及びリソースオフセットセットにおけるリソース候補オフセットに従って、該移動局の上り伝送リソースを特定するように、前記複数の移動局グループに用いられる、複数のリソース候補オフセットを含む前記リソースオフセットセットを特定するように配置されるオフセットセット特定部と、を備える、基地局。
【請求項２１】
移動局に接続される基地局に対応する複数の移動局グループにおいて、前記移動局が属する第１の移動局グループを特定するように配置されるグループ特定部と、
前記第１の移動局グループに用いられる上り伝送の第１のリソース設定及びリソースオフセットセットを取得するように配置される取得部と、
前記リソースオフセットセットに含まれる複数のリソース候補オフセットから、第１のリソース候補オフセットを選択するように配置される選択部と、
前記第１のリソース設定及び前記第１のリソース候補オフセットに従って、前記移動局の上り伝送リソースを特定するように配置されるリソース特定部と、を備える、移動局。
【発明の詳細な説明】
【技術分野】
【０００１】
本発明は、無線通信分野に関し、具体的には、無線通信システムにおいて使用できるリソース特定方法、基地局及び移動局に関する。
【背景技術】
【０００２】
マシン型通信（ＭＴＣ）は、４Ｇと５Ｇの通信システムにおいて使用される重要な技術になっている。ＬＴＥ技術と比べると、ＭＴＣシステムにおいては、移動局は、相対的狭い帯域幅を使用して伝送を行い、さらに、同じ情報を複数回再送する。既存の上り伝送のためのスケジューリング方法においては、基地局は、移動局へＵＬグラント（ＵＬ  Ｇｒａｎｔ）シグナリングを送信し、さらに、移動局は、ＵＬグラントによって指示されるリソースを使用して上り伝送を行う。
【発明の概要】
【発明が解決しようとする課題】
【０００３】
しかしながら、ＭＴＣシステムにおいて移動局が同じ情報を複数回再送するため、既存のスケジューリング方法に従ってＭＴＣシステムにおける移動局に対して上り伝送スケジューリングを行うと、多数の制御シグナリングが必要になってしまう。
また、全次元マルチ入力マルチ出力（Ｆｕｌｌ  Ｄｉｍｅｎｓｉｏｎａｌ  ＭＩＭＯ、ＦＤ−ＭＩＭＯ）と大規模マルチ入力マルチ出力（Ｍａｓｓｉｖｅ  ＭＩＭＯ）アンテナは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されているＬＴＥ（Ｌｏｎｇ  Ｔｅｒｍ  Ｅｖｏｌｕｔｉｏｎ）の無線伝送技術として提案された。レガシーＭＩＭＯシステムと比べると、ＦＤ−ＭＩＭＯおよび大規模ＭＩＭＯシステムでは、基地局は、より多くのアンテナを使用してデータ伝送を行うことができ、より多くの移動局をサポートしてシステムスループットを向上させる。しかしながら、基地局によってサポートできる移動局の数量の増加に伴い、既存のスケジューリング方法によると、上り伝送のためのスケジューリングシグナリングによるオーバーヘッドもともに増えてしまう。このため、既存のスケジューリング方法は、非直交多元接続（Ｎｏｎ−ｏｒｔｈｏｇｏｎａｌ  ｍｕｌｔｉｐｌｅ  ａｃｃｅｓｓ、ＮＯＭＡ）技術とＭＴＣを組合せて使用する無線通信システムに適用されない。
【課題を解決するための手段】
【０００４】
本発明の一方面によれば、前記基地局に対応する複数の移動局グループにおけるそれぞれの移動局グループについて、該移動局グループに用いられる上り伝送のリソース設定を特定することと、基地局に接続される移動局が、該移動局の属する移動局グループのリソース設定及びリソースオフセットセットにおけるリソース候補オフセットに基づいて、該移動局の上り伝送リソースを特定するように、複数の移動局グループに用いられる、複数のリソース候補オフセットを含むリソースオフセットセットを特定することと、を含むリソース割当方法を提供する。
【０００５】
本発明の他の一方面によれば、移動局によって実行されるリソース特定方法であって、移動局に接続される基地局に対応する複数の移動局グループにおいて、移動局が属する第１の移動局グループを特定することと、第１の移動局グループに用いられる上り伝送の第１のリソース設定及びリソースオフセットセットを取得することと、リソースオフセットセットに含まれる複数のリソース候補オフセットから、第１のリソース候補オフセットを選択することと、第１のリソース設定及び第１のリソース候補オフセットに従って、移動局の上り伝送リソースを特定することと、を含む、リソース特定方法を提供する。
【０００６】
本発明の他の一方面によれば、基地局に対応する複数の移動局グループにおけるそれぞれの移動局グループについて、該移動局グループに用いられる上り伝送のリソース設定を特定するように配置される設定割当部と、基地局に接続される移動局が、該移動局の属する移動局グループのリソース設定及びリソースオフセットセットにおけるリソース候補オフセットに従って、該移動局の上り伝送リソースを特定するように、複数の移動局グループに用いられる、複数のリソース候補オフセットを含むリソースオフセットセットを特定するように配置されるオフセットセット特定部と、を備える基地局を提供する。
【０００７】
本発明の他の一方面によれば、移動局に接続される基地局に対応する複数の移動局グループにおいて、前記移動局が属する第１の移動局グループを特定するように配置されるグループ特定部と、前記第１の移動局グループに用いられる上り伝送の第１のリソース設定及びリソースオフセットセットを取得するように配置される取得部と、前記リソースオフセットセットに含まれる複数のリソース候補オフセットから、第１のリソース候補オフセットを選択するように配置される選択部と、前記第１のリソース設定及び前記第１のリソース候補オフセットに従って、前記移動局の上り伝送リソースを特定するように配置されるリソース特定部と、を備える移動局を提供する。
【発明の効果】
【０００８】
本開示の上記方面に係るスケジューリングベクトル生成方法、逐次干渉キャンセル（ＳＩＣ：ｓｕｃｃｅｓｓｉｖｅ  ｉｎｔｅｒｆｅｒｅｎｃｅ  ｃａｎｃｅｌｉｎｇ）方法、基地局及びＬＴＥ移動局を利用すれば、現在のＴＴＩにおける、それぞれのサブバンド上でデータ伝送を行うＭＴＣ移動局に関する共通ＭＴＣスケジューリングベクトルを生成することにより、ＭＴＣ移動局によって伝送されるデータに対して逐次干渉キャンセルを行うことができ、よって、基地局は、それぞれのＭＴＣ移動局に対して専用のスケジューリングベクトルを生成する必要がなくなる。これにより、無線通信システムは、シグナリングオーバーヘッドの増加をできるだけ小さくすると同時に、ＮＯＭＡとＭＴＣの組合せ使用をサポートすることができる。
【図面の簡単な説明】
【０００９】
図面を参照しながら本発明の実施例を詳細に説明することで、本発明の上記及びその他目的、特徴、利点がより明確になる。
【図１】本発明実施例による、基地局によって実行されるリソース特定方法のフローチャートを示す。
【図２】本発明の一例示による、特定されたそれぞれの移動局グループの上り伝送のリソース設定を示す模式図である。
【図３】図２に示すリソース設定の一例示の様子を示す説明図である。
【図４】本発明実施例による、移動局によって実行されるリソース特定方法のフローチャートを示す。
【図５】本発明実施例による基地局のブロック図を示す。
【図６】本発明実施例による移動局のブロック図を示す。
【発明を実施するための形態】
【００１０】
以下、図面を参照して本発明実施例に係るリソース特定方法、基地局及び移動局を説明する。図面において、同じ参照符号は、常に同じ素子を示す。ここで説明される実施例は例示的なものに過ぎず、本発明の範囲を制限するものと解釈してはいけないことは、理解すべきである。また、ここでいうＵＥは、様々なユーザー端末、例えば移動端末（又は移動局と呼ばれる）或いは固定端末を含むが、便宜上、以下、互換的にＵＥと移動局を使用できる場合がある。
【００１１】
本発明に係る例示において、上り伝送のリソース設定は、上り伝送に使用できるリソースを指示することができる。例えば、上り伝送のリソース設定は、所定の間隔において、上り伝送に使用できる時間リソースのパターン及び周波数リソースのパターンであってもよい。
【００１２】
まず、図１を参照して本発明実施例に係る基地局によって実行されるリソース特定方法を説明する。図１は、リソース特定方法１００のフローチャートを示す。図１に示すように、ステップＳ１０１では、基地局に対応する複数の移動局グループにおけるそれぞれの移動局グループに対して、該移動局グループに用いられる上り伝送のリソース設定を特定する。上記したように、上り伝送のリソース設定は、上り伝送に使用できる時間リソースのパターン及び周波数リソースのパターンを含んでもよい。例えば、上り伝送のリソース設定は、移動局グループにおける一つの移動局が上り伝送を行う時に使用する時間リソースの周期（例えば、伝送時間間隔（Ｔｒａｎｓｍｉｓｓｉｏｎ  Ｔｉｍｅ  Ｉｎｔｅｒｖａｌ、ＴＴＩ）の数）を指示することができ、さらに、移動局グループが上り伝送を行う時に使用するサブキャリア（例えば、サブキャリアの数）を指示することができる。
【００１３】
本発明による一例示によれば、チャネル状態に従って基地局に対応する複数の移動局グループを特定することができる。ステップＳ１０１では、各移動局グループに対応するチャネル状態に従って移動局グループに用いられる上り伝送のリソース設定を特定することができる。例えば、移動局の参照信号受信電力に従って基地局に対応する複数の移動局グループを特定することができる。また、例えば、パスロスに従って基地局に対応する複数の移動局グループを特定することができる。ステップＳ１０１では、複数の移動局グループにおける第１の移動局グループに用いられる第１のリソース設定を特定し、さらに、複数の移動局グループにおける第２の移動局グループに用いられる第２のリソース設定を特定することができる。第１の移動局グループのパスロスが第２の移動局グループのパスロスよりも小さい場合、第１の移動局グループにおける移動局のチャネル状態は、第２の移動局グループにおける移動局のチャネル状態よりも優れる。例えば、第１の移動局グループにおける移動局は、セル中央エリアに位置される移動局であってもよい。さらに、第２の移動局グループにおける移動局は、セルエッジエリアに位置される移動局であってもよい。この場合、第１の移動局グループにおける移動局は、相対的少ない再送回数で情報の上り伝送を完了することができるが、第２の移動局グループにおける移動局は、情報を正確に基地局に送信するために相対的多い再送回数が必要である。そこで、第１のリソース設定によって指示される第１の時間リソースは、第２のリソース設定によって指示される第２の時間リソースよりも少ない。さらに、第１のリソース設定によって指示される第１の周波数リソースは、第２のリソース設定によって指示される第２の周波数リソースよりも多い。例えば、第１のリソース設定によって指示される第１の移動局グループにより上り伝送を行う時に使用する時間リソースの周期は、第２のリソース設定によって指示される第２の移動局グループにより上り伝送を行う時に使用する時間リソースの周期よりも短い。それに、第１のリソース設定によって指示される第１のサブキャリアは、第２のリソース設定によって指示される第２のサブキャリアよりも多い。
【００１４】
第１のリソース設定によって指示される時間及び周波数リソースと、第２のリソース設定によって指示される時間及び周波数リソースとは、少なくとも一部を重ねてもよい。例えば、第１のリソース設定によって指示される時間リソースは、第２のリソース設定によって指示される時間リソースの一部であってもよい。また、例えば、第２のリソース設定によって指示される周波数リソースは、第１のリソース設定によって指示される周波数リソースの一部であってもよい。
【００１５】
また、基地局が移動局によって送信された上り信号を復調することを容易にするために、第２の時間リソースのサイズは、第１の時間リソースのサイズの整数倍であり、さらに、第１の周波数リソースのサイズは、第２の周波数リソースのサイズの整数倍であってもよい。
【００１６】
図２は、本発明の一例示による、特定されたそれぞれの移動局グループの上り伝送のリソース設定を示す模式図である。図２に示す例示において、基地局に接続される移動局は、三つの移動局グループ、即ち、基地局配下セルの中央エリアに位置される中央移動局グループと、基地局配下セルのエッジエリアに位置されるエッジ移動局グループと、基地局配下セルの中央エリア及びエッジエリア間の中間エリアに位置される中間移動局グループに分けることができる。ステップＳ１０１によれば、中央移動局グループに用いられる上り伝送のリソース設定２１０、中間移動局グループに用いられる上り伝送のリソース設定２２０、及びエッジ移動局グループに用いられる上り伝送のリソース設定２３０を特定することができる。
【００１７】
基地局に情報を送信すべき際に、中央移動局グループにおける移動局は相対的少ない再送回数で情報伝送を完了でき、エッジ移動局グループにおける移動局は情報伝送を完了するために相対的多い再送回数を必要とし、中間移動局グループにおける移動局の行うべき再送回数は中央移動局グループにおける移動局の行うべき再送回数よりも多くかつエッジ移動局グループにおける移動局の行うべき再送回数よりも少ないため、リソース設定２１０によって指示される上り伝送に使用できる時間リソースは、リソース設定２２０によって指示される上り伝送に使用できる時間リソースよりも少なく、かつ、リソース設定２２０によって指示される上り伝送に使用できる時間リソースは、リソース設定２３０によって指示される上り伝送に使用できる時間リソースよりも少ない。図２に示すように、リソース設定２１０によれば、中央移動局グループの上り伝送に用いられる時間リソース周期Ｎｔｉｍｅ＿１は、二つの伝送時間間隔（Ｔｒａｎｓｍｉｓｓｉｏｎ  Ｔｉｍｅ  Ｉｎｔｅｒｖａｌ、ＴＴＩ）を含む。リソース設定２２０によれば、中央移動局グループの上り伝送に用いられる時間リソース周期Ｎｔｉｍｅ＿２は、四つのＴＴＩを含む。リソース設定２３０によれば、中央移動局グループの上り伝送に用いられる時間リソース周期Ｎｔｉｍｅ＿３は、八つのＴＴＩを含む。
【００１８】
また、必要とする時間リソースが相対的少ない移動局グループに対して相対的多い周波数リソースを割当てることができる。図２に示すように、リソース設定２１０によれば、中央移動局グループの上り伝送に用いられる周波数リソースＮｆｒｅｑ＿１は、六つのサブキャリアを含む。リソース設定２２０によれば、中央移動局グループの上り伝送に用いられる周波数リソースＮｆｒｅｑ＿２は、二つのサブキャリアを含む。リソース設定２３０によれば、中央移動局グループの上り伝送に用いられる周波数リソースＮｆｒｅｑ＿３は、一つのサブキャリアを含む。
【００１９】
図３は、図２に示すリソース設定の一例示の様子を示す説明図である。図３に示すように、基地局に対応する複数の移動局グループは、同じ上り伝送の開始時刻及び同じ上り伝送の開始周波数を有してもよい。この場合、周波数の量を考慮しない場合、図３に示すように、リソース設定２１０、リソース設定２２０とリソース設定２３０とは、一部を重ねている。
【００２０】
図２と図３では、複数のリソース設定によって指示される時間リソース及び周波数リソースの一部を重ねていることを例として説明したが、本発明はこれに限られない。本発明の他の一例示によれば、複数の移動局グループに用いられる指示された時間リソースは、完全に同じであってもよい。同様に、複数の移動局グループに用いられる指示された周波数リソースも、完全に同じであってもよい。チャネル状態に従って基地局に対応する複数の移動局グループを特定する場合、複数の移動局グループに用いられる指示された周波数リソースが完全に同じであっても、基地局は、それぞれの移動局グループのチャネル状態に従って、異なる移動局グループにおける移動局から送信された情報を復調することができる。
【００２１】
また、本発明のさらに他の一例示によれば、複数の移動局グループに用いられる指示された時間リソースは重ねなくてもよい。同様に、複数の移動局グループに用いられる指示された周波数リソースも、重ねなくてもよい。
【００２２】
図１に戻り、ステップＳ１０２では、基地局に接続される移動局が、該移動局の属する移動局グループのリソース設定及びリソースオフセットセット（ｒｅｓｏｕｒｃｅ  ｏｆｆｓｅｔ  ｓｅｔ）におけるリソース候補オフセットに従って、該移動局の上り伝送リソースを特定するように、複数の移動局グループに用いられる、複数のリソース候補オフセットを含むリソースオフセットセットを特定する。例えば、ステップＳ１０２では、複数の移動局グループに用いられる一共通リソースオフセットセットを特定することができる。この場合、複数の移動局グループは、同じ共通リソースオフセットセットを使用することができる。また、例えば、ステップＳ１０２では、複数の移動局グループにおけるそれぞれの移動局グループについて該移動局グループに用いられるリソースオフセットセットを特定することができる。また、上り伝送のリソース設定が、上り伝送に使用できる時間リソースのパターン及び周波数リソースのパターンを含む場合、ステップＳ１０２では、複数の移動局グループに用いられる時間リソースオフセットセット及び周波数リソースオフセットセットを特定することができる。
【００２３】
本発明の一例示によれば、一基本オフセットに従ってリソースオフセットセットに含まれる複数のリソース候補オフセットを特定することができる。例えば、ステップＳ１０２において複数の移動局グループに用いられる一共通リソースオフセットセットを特定する時、共通リソースオフセットセットにおけるそれぞれのリソース候補オフセットは、基本オフセットの整数倍である。以下、移動局によって実行されるリソース特定方法と合わせてさらにリソース候補オフセットを説明する。
【００２４】
また、複数の移動局グループにおける一移動局グループの上り伝送リソースエレメントに従って基本オフセットを特定してもよい。ここで、前記上り伝送リソースエレメントは、該移動局グループにおける移動局による一回の上り伝送に使用されるリソースである。例えば、上記したように、上り伝送のリソース設定は、移動局グループにおける一移動局による上り伝送に使用される時間リソースの周期を指示することができる。該周期内では、ＭＴＣ技術を採用する移動局は、同じ情報を複数回送信することができる。上り伝送リソースエレメントは、該移動局グループにおける移動局による一回の上り伝送に使用されるリソースであってもよい。
【００２５】
また、リソース設定によって指示される一つの上り伝送周期内で、ＭＴＣ技術を採用する移動局が同じ情報を複数回送信することができるため、図１に示す方法は、さらに、それぞれの移動局グループの上り伝送回数を特定することを含んでもよい。それぞれの移動局グループの上り伝送回数を直接特定してもよい。例えば、一つの上り伝送周期内に移動局が同じ情報を２回上り伝送すると特定してもよい。或いは、それぞれの移動局グループの上り伝送リソースエレメントを特定することにより、それぞれの移動局グループの上り伝送回数を特定してもよい。
【００２６】
また、図１に示す方法は、さらに、それぞれの移動局グループにおける移動局へ前記リソース設定に関する設定情報及び前記リソースオフセットセットに関するオフセットセット情報を送信することを含んでもよい。また、それぞれの移動局グループの上り伝送回数を特定する場合、図１に示す方法は、さらに、それぞれの移動局グループにおける移動局へ前記上り伝送回数に関する再送情報を送信することを含んでもよい。
【００２７】
本実施例のリソース特定方法において、基地局に接続される移動局が、該移動局の属する移動局グループのリソース設定及びリソースオフセットセットにおけるリソース候補オフセットに従って、該移動局の上り伝送リソースを特定するように、前記基地局に接続される移動局に対してグループ化を行い、それぞれの移動局グループの上り伝送に用いられるリソース設定を特定し、さらに、前記リソースオフセットセットを特定する。これにより、ＵＬグラント（ＵＬ  Ｇｒａｎｔ）シグナリングに必要なシグナリングオーバーヘッドを低減すると同時に、異なる移動局によって同じリソースを使用して上り情報を送信するときに送信される情報が衝突する可能性を低減し、さらに、異なる移動局によって同じリソースを使用して上り情報を送信する時に基地局による復号化の複雑度を低減した。
【００２８】
以下、図４を参照して本発明実施例に係る移動局によって実行されるリソース特定方法を説明する。図４は、本発明実施例に係る移動局によって実行されるリソース特定方法４００のフローチャートを示す。
【００２９】
図４に示すように、ステップＳ４０１では、移動局に接続される基地局に対応する複数の移動局グループにおいて、移動局が属する第１の移動局グループを特定する。本発明の一例示によれば、移動局のチャネル状態に従って該移動局が属する第１の移動局グループを特定することができる。例えば、移動局の参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）に従って該移動局が属する第１の移動局グループを特定することができる。また、例えば、移動局のパスロス（ｐａｔｈ  ｌｏｓｓ）に従って基地局に対応する複数の移動局グループを特定することができる。
【００３０】
そして、ステップＳ４０２では、第１の移動局グループに用いられる上り伝送の第１のリソース設定及びリソースオフセットセットを取得する。例えば、移動局において予めそれぞれの移動局グループのリソース設定及びリソースオフセットセットを記憶し、さらに、特定された移動局グループに従って、予め記憶したそれぞれの移動局グループのリソース設定及びリソースオフセットセットから、第１の移動局グループの上り伝送に用いられる第１のリソース設定及びリソースオフセットセットを選択することができる。また、例えば、基地局からリソース設定に関する設定情報及びリソースオフセットセットに関するオフセットセット情報を受信し、さらに、特定された移動局グループに従って、受信情報に基づいて特定されたそれぞれの移動局グループのリソース設定及びリソースオフセットセットから、第１の移動局グループの上り伝送に用いられる第１のリソース設定及びリソースオフセットセットを選択することができる。
【００３１】
上記したように、上り伝送のリソース設定は、上り伝送に使用できる時間リソースのパターン及び周波数リソースのパターンを含んでもよい。例えば、上り伝送のリソース設定は、移動局グループにおける一移動局による上り伝送に使用される時間リソースの周期（例えば、伝送時間間隔の数）を指示することができ、さらに、移動局グループによる上り伝送に使用されるサブキャリア（例えば、サブキャリアの数）を指示することができる。
【００３２】
また、パスロスに従ってチャネル状態を特定し、さらに、チャネル状態に従って移動局が属する第１の移動局グループを特定する場合、第１の移動局グループのパスロスが複数の移動局グループにおける第２の移動局グループのパスロスよりも小さいとき、第１のリソース設定によって指示される第１の時間リソースは、第１の移動局グループの上り伝送に用いられる第２のリソース設定によって指示される第２の時間リソースよりも少ない。さらに、第１のリソース設定によって指示される第１の周波数リソースは、第２のリソース設定によって指示される第２の周波数リソースよりも多い。
【００３３】
例えば、前記移動局が属する第１の移動局グループにおける移動局は、セル中央エリアに位置される移動局であり、相対的小さいパスロスを有してもよい。さらに、第２の移動局グループにおける移動局は、セルエッジエリアに位置される移動局であり、相対的大きいパスロスを有してもよい。この場合、第１の移動局グループにおける移動局は、相対的少ない再送回数で情報の上り伝送を完了することができるが、第２の移動局グループにおける移動局は、情報を正確に基地局に送信するには、相対的多い再送回数が必要である。そこで、第１のリソース設定によって指示される第１の時間リソースは、第２のリソース設定によって指示される第２の時間リソースよりも少なく、かつ、第１のリソース設定によって指示される第１の周波数リソースは、第２のリソース設定によって指示される第２の周波数リソースよりも多い。例えば、第１のリソース設定によって指示される第１の移動局グループによる上り伝送に使用される時間リソースの周期は、第２のリソース設定によって指示される第２の移動局グループによる上り伝送に使用される時間リソースの周期よりも短く、かつ、第１のリソース設定によって指示される第１のサブキャリアは、第２のリソース設定によって指示される第２のサブキャリアよりも多い。
【００３４】
前記移動局が属する第１のリソース設定によって指示される時間及び周波数リソースは、第２のリソース設定によって指示される時間及び周波数リソースと、少なくとも一部を重ねてもよい。例えば、第１のリソース設定によって指示される時間リソースは、第２のリソース設定によって指示される時間リソースの一部であってもよい。また、例えば、第２のリソース設定によって指示される周波数リソースは、第１のリソース設定によって指示される周波数リソースの一部であってもよい。
【００３５】
また、第２の時間リソースのサイズは、第１の時間リソースのサイズの整数倍であり、さらに、第１の周波数リソースのサイズは、第２の周波数リソースのサイズの整数倍であってもよい。上記で既に図２及び図３を参照して時間リソースのサイズと周波数リソースのサイズを説明したので、ここではその説明を省略する。
【００３６】
また、ステップＳ４０２において取得されるリソースオフセットセットは、移動局に接続される基地局に対応する複数の移動局グループの共通リソースオフセットセットであってもよい。前記複数の移動局グループは、異なるリソースオフセットセットに対応してもよい。ステップＳ４０２では、第１の移動局グループに用いられるリソースオフセットセットを取得することができる。
【００３７】
リソースオフセットセットには、複数のリソース候補オフセットを含む。ステップＳ４０３では、リソースオフセットセットに含まれる複数のリソース候補オフセットから、第１のリソース候補オフセットを選択することができる。例えば、リソースオフセットセットに含まれる複数のリソース候補オフセットから、第１のリソース候補オフセットをランダムに選択することができる。また、例えば、所定の確率で第１のリソース候補オフセットを選択することができる。以下の式（１）で所定の確率Ｃを特定することができる。
Ｃ  ＝  （Ｎｐ−１）／Ｎ          ……（１）
但し、Ｎは、リソースオフセットセットに含まれるリソース候補オフセットの数を表し、Ｎｐは、ＵＥグループの平均リソース数に従って特定された所定値を表す。
【００３８】
また、上り伝送のリソース設定が上り伝送に使用できる時間リソースのパターン及び周波数リソースのパターンを含む場合、ステップＳ４０３では、時間リソースに用いられるリソースオフセットセットに含まれる複数のリソース候補オフセットから、第１の時間リソース候補オフセットを選択し、さらに、周波数リソースに用いられるリソースオフセットセットに含まれる複数のリソース候補オフセットから、第１の周波数リソース候補オフセットを選択することができる。例えば、以下の式（２）で時間リソースに用いられるリソース候補オフセットΔＴｋを表すことができる。
ΔＴｋ  ＝  Δｔｃ  ＊  Ｎｔｉｍｅ＿ｋ          ……（２）
但し、Δｔｃは、時間オフセット係数を表し、Δｔｃ∈｛Δｔ１，Δｔ２，…，Δｔｎ｝であり、さらに、Δｔｃは、基本オフセットΔｔの整数倍であってもよい。Ｎｔｉｍｅ＿ｋは、ｋ番目のリソース設定において指示される時間リソース（例えば、ＴＴＩの数）を表す。
【００３９】
また、以下の式（３）で時間リソースに用いられるリソース候補オフセットΔＦｋを表すことができる。
ΔＦｋ  ＝  Δｆｃ  ＊  Ｎｆｒｅｑ＿ｋ          ……（３）
但し、Δｆｃは、時間オフセット係数を表し、Δｆｃ∈｛Δｆ１，Δｆ２，…，Δｆｎ｝であり、さらに、Δｆｃは、基本オフセットΔｆの整数倍であってもよい。Ｎｆｒｅｑ＿ｋは、ｋ番目のリソース設定において指示される周波数リソース（例えば、サブキャリアの数）を表す。
【００４０】
そして、ステップＳ４０４では、第１のリソース設定及び第１のリソース候補オフセットに従って、移動局の上り伝送リソースを特定する。例えば、上り伝送参照リソース及び第１のリソース候補オフセットに従って、移動局の上り伝送の開始位置を特定することができる。ここで、上り伝送参照リソースは、複数の移動局グループにおける移動局の共通上り伝送参照リソースである。例えば、以下の式（４）で上り伝送の開始時刻Ｔｔｘ＿ｋを表すことができる。
Ｔｔｘ＿ｋ  ＝  Ｔｒｅｆ  ＋  ΔＴｋ          ……（４）
但し、Ｔｒｅｆは、ある時間帯において、複数の移動局グループにおける移動局の共通上り伝送参照時間リソースを表す。
【００４１】
また、例えば、以下の式（５）で上り伝送の開始周波数Ｆｔｘ＿ｋを表すことができる。
Ｆｔｘ＿ｋ  ＝  Ｆｒｅｆ  ＋  ΔＦｋ          ……（５）
但し、Ｆｒｅｆは、ある周波数帯において、複数の移動局グループにおける移動局の共通上り伝送参照周波数リソースを表す。
【００４２】
そして、第１のリソース設定及び開始位置に従って、移動局の上り伝送リソースを特定する。本実施例のリソース特定方法において、移動局は、自身が属する移動局グループを特定することで上り伝送に用いられるリソース設定を特定し、さらに、該移動局が属する移動局グループのリソース設定及びリソースオフセットセットにおけるリソース候補オフセットに従って、該移動局の上り伝送リソースを特定する。これにより、ＵＬグラント（ＵＬ  Ｇｒａｎｔ）シグナリングに必要なシグナリングオーバーヘッドを低減する。また、同一移動局グループにおける複数の移動局が同一時間帯で上り伝送を行う必要がある場合、複数の移動局は異なるリソース候補オフセットを選択することができ、よって前記複数の移動局の上り伝送の開始位置が異なることになる。よって、前記複数の移動局が同一グループに属するためにその第１のリソース設定が同じであっても、開始位置が異なることにより、前記複数の移動局によって送信される信号間の衝突が回避される。
【００４３】
また、基地局による復号化の複雑度を低減するために、同じ上り伝送周期において、第１の移動局グループにおける移動局の上り伝送開始時刻（又は終了時刻）は、前記複数の移動局グループにおけるその他のグループにおける移動局の上り伝送開始時刻（又は終了時刻）と同じであってもよい。例えば、ステップＳ４０２にて取得されるリソースオフセットセットは、移動局に接続される基地局に対応する複数の移動局グループの共通リソースオフセットセットであり、それに、第２の時間リソースのサイズは第１の時間リソースのサイズの整数倍であり、第１の周波数リソースのサイズは第２の周波数リソースのサイズの整数倍である場合、複数の移動局グループにおける一つの移動局グループの上り伝送リソースエレメントに従って基本オフセットを特定してもよい。ここで、上り伝送リソースエレメントは、該移動局グループにおける移動局による一回の上り伝送に使用されるリソースである。これにより、第１の移動局グループにおける移動局の上り伝送開始時刻（又は終了時刻）と、その他のグループにおける移動局の上り伝送開始時刻（又は終了時刻）とのずれによって基地局の復号化手順が複雑になる問題を回避する。
【００４４】
また、リソース設定によって指示される一つの上り伝送周期内で、ＭＴＣ技術を採用する移動局が同じ情報を複数回送信することができるため、図４に前記した方法は、さらに、第１の移動局グループの上り伝送回数を特定することと、特定された上り伝送回数に従って、移動局の上り伝送リソースにおいて、同じ情報について繰り返して上り伝送を行うことを含んでもよい。例えば、移動局において予めそれぞれの移動局グループの上り伝送回数に関する情報を記憶し、さらに、特定された移動局グループに従って、第１の移動局グループの上り伝送回数を取得してもよい。また、例えば、基地局からそれぞれの移動局グループの上り伝送回数に関する情報を受信し、さらに、特定された移動局グループに従って、第１の移動局グループの上り伝送回数を取得してもよい。また、上り伝送回数の情報は、該移動局グループのリソース設定によって指示される時間リソースにおいて上り伝送を行う回数を直接指示してもよい。上り伝送回数の情報は、該移動局グループの上り伝送リソースエレメントを指示してもよい。移動局は、上り伝送リソースエレメント及び移動局グループのリソース設定によって指示される時間リソースに従って、該移動局グループの上り伝送回数を特定してもよい。
【００４５】
以下、図５を参照して本発明実施例による基地局を説明する。図５には、本発明実施例による基地局５００のブロック図を示す。図５に示すように、基地局５００は、設定特定部５１０とオフセットセット特定部５２０を備える。この二つの部品以外、基地局５００は、さらに、その他の部品を備えてもよいが、それらの部品は、本発明実施例の内容と関係ないため、ここではその図示と説明を省略する。また、本発明実施例による基地局５００によって実行される下記操作の詳細は上記で図１−３を参照して説明した詳細と同じであるため、ここでは重複を避けるために省略する。
【００４６】
図５に示すように、設定特定部５１０は、基地局に対応する複数の移動局グループにおけるそれぞれの移動局グループについて、該移動局グループの上り伝送に用いられるリソース設定を特定する。上記したように、上り伝送のリソース設定は、上り伝送に使用できる時間リソースのパターン及び周波数リソースのパターンを含むことができる。例えば、上り伝送のリソース設定は、移動局グループにおける一つの移動局による上り伝送に使用される時間リソースの周期（例えば、伝送時間間隔の数）を指示することができ、さらに、移動局グループによる上り伝送に使用されるサブキャリア（例えば、サブキャリアの数）を指示することができる。
【００４７】
本発明の一例示によれば、チャネル状態に従って基地局に対応する複数の移動局グループを特定することができる。設定特定部５１０は、それぞれの移動局グループに対応するチャネル状態に従って移動局グループに用いられる上り伝送のリソース設定を特定することができる。例えば、設定特定部５１０は、移動局の参照信号受信電力に従って基地局に対応する複数の移動局グループを特定することができる。また、例えば、設定特定部５１０は、パスロスに従って基地局に対応する複数の移動局グループを特定することができる。
【００４８】
設定特定部５１０は、複数の移動局グループにおける第１の移動局グループに用いられる第１のリソース設定を特定し、さらに、複数の移動局グループにおける第２の移動局グループに用いられる第２のリソース設定を特定することができる。第１の移動局グループのパスロスが第２の移動局グループのパスロスよりも小さい場合、第１の移動局グループにおける移動局のチャネル状態は、第２の移動局グループにおける移動局のチャネル状態よりも優れる。例えば、第１の移動局グループにおける移動局は、セル中央エリアに位置される移動局であり、第２の移動局グループにおける移動局は、セルエッジエリアに位置される移動局であってもよい。この場合、第１の移動局グループにおける移動局は、相対的少ない再送回数で情報の上り伝送を完了することができるが、第２の移動局グループにおける移動局は情報を正確に基地局に送信するために相対的多い再送回数が必要する。そこで、第１のリソース設定によって指示される第１の時間リソースは、第２のリソース設定によって指示される第２の時間リソースよりも少なく、かつ、第１のリソース設定によって指示される第１の周波数リソースは、第２のリソース設定によって指示される第２の周波数リソースよりも多い。例えば、第１のリソース設定によって指示される第１の移動局グループによる上り伝送に使用される時間リソースの周期は、第２のリソース設定によって指示される第２の移動局グループによる上り伝送に使用される時間リソースの周期よりも短く、かつ、第１のリソース設定によって指示される第１のサブキャリアは、第２のリソース設定によって指示される第２のサブキャリアよりも多い。
【００４９】
第１のリソース設定によって指示される時間及び周波数リソースと、第２のリソース設定によって指示される時間及び周波数リソースとは、少なくとも一部を重ねてもよい。例えば、第１のリソース設定によって指示される時間リソースは、第２のリソース設定によって指示される時間リソースの一部であってもよい。また、例えば、第２のリソース設定によって指示される周波数リソースは、第１のリソース設定によって指示される周波数リソースの一部であってもよい。
【００５０】
また、基地局が移動局によって送信される上り信号を復調することを容易にするために、第２の時間リソースのサイズは、第１の時間リソースのサイズの整数倍であり、かつ、第１の周波数リソースのサイズは、第２の周波数リソースのサイズの整数倍であってもよい。
【００５１】
本発明の一例示によれば、複数のリソース設定によって指示される時間リソース及び周波数リソースは、一部を重ねてもよい。本発明の他の一例示によれば、複数の移動局グループに用いられる指示される時間リソースは、完全に同じであってもよい。同様に、複数の移動局グループに用いられる指示される周波数リソースも、完全に同じであってもよい。チャネル状態に従って基地局に対応する複数の移動局グループを特定する場合、複数の移動局グループに用いられる指示される周波数リソースが完全に同じであっても、基地局は、それぞれの移動局グループのチャネル状態に従って、異なる移動局グループにおける移動局から送信された情報を復調することができる。また、本発明のさらに他の一例示によれば、複数の移動局グループに用いられる指示される時間リソースは、重ねなくてもよい。同様に、複数の移動局グループに用いられる指示される周波数リソースも、重ねなくてもよい。
【００５２】
オフセットセット特定部５２０は、基地局に接続される移動局が、該移動局の属する移動局グループのリソース設定及びリソースオフセットセットにおけるリソース候補オフセットに従って、該移動局の上り伝送リソースを特定するように、複数の移動局グループに用いられる、複数のリソース候補オフセットを含むリソースオフセットセットを特定する。例えば、オフセットセット特定部５２０は、複数の移動局グループに用いられる一つの共通リソースオフセットセットを特定することができる。この場合、複数の移動局グループは、同じ共通リソースオフセットセットを使用することができる。また、例えば、オフセットセット特定部５２０は、複数の移動局グループにおけるそれぞれの移動局グループについて、該移動局グループに用いられるリソースオフセットセットを特定することができる。また、上り伝送のリソース設定は、上り伝送に使用できる時間リソースのパターン及び周波数リソースのパターンを含む場合、オフセットセット特定部５２０は、複数の移動局グループに用いられる時間リソースオフセットセット及び周波数リソースオフセットセットを特定することができる。
【００５３】
本発明の一例示によれば、一つの基本オフセットに従ってリソースオフセットセットに含まれる複数のリソース候補オフセットを特定することができる。例えば、オフセットセット特定部５２０により複数の移動局グループに用いられる一つの共通リソースオフセットセットを特定する時、共通リソースオフセットセットにおけるそれぞれのリソース候補オフセットは、基本オフセットの整数倍である。
【００５４】
また、複数の移動局グループにおける一つの移動局グループの上り伝送リソースエレメントに従って基本オフセットを特定してもよい。ここで、前記上り伝送リソースエレメントは、該移動局グループにおける移動局による一回の上り伝送に使用されるリソースである。例えば、上記したように、上り伝送のリソース設定は、移動局グループにおける一つの移動局による上り伝送に使用される時間リソースの周期を指示することができる。該周期内では、ＭＴＣ技術を採用する移動局は、同じ情報を複数回送信することができる。上り伝送リソースエレメントは、該移動局グループにおける移動局による一回の上り伝送に使用されるリソースであってもよい。
【００５５】
また、リソース設定によって指示される一つの上り伝送周期内では、ＭＴＣ技術を採用する移動局は、同じ情報を複数回送信することができるため、図５に示す基地局は、それぞれの移動局グループの上り伝送回数を特定する伝送回数特定部をさらに備えることができる。それぞれの移動局グループの上り伝送回数を直接特定することができる。例えば、一つの上り伝送周期内で移動局が同じ情報について２回の上り伝送を行うと特定することができる。それぞれの移動局グループの上り伝送リソースエレメントを特定することにより、それぞれの移動局グループの上り伝送回数を特定してもよい。
【００５６】
また、図５に示す基地局は、それぞれの移動局グループにおける移動局へ前記リソース設定に関する設定情報及び前記リソースオフセットセットに関するオフセットセット情報を送信する送信部をさらに備えることができる。また、それぞれの移動局グループの上り伝送回数を特定する場合、送信部は、さらに、それぞれの移動局グループにおける移動局へ前記上り伝送回数に関する再送情報を送信することができる。
【００５７】
本実施例の基地局では、基地局に接続される移動局が、該移動局の属する移動局グループのリソース設定及びリソースオフセットセットにおけるリソース候補オフセットに従って、該移動局の上り伝送リソースを特定するように、前記基地局に接続される移動局に対してグループ化を行い、それぞれの移動局グループに用いられる上り伝送のリソース設定を特定するとともにリソースオフセットセットを特定する。これにより、ＵＬグラント（ＵＬ  Ｇｒａｎｔ）シグナリングに必要なシグナリングオーバーヘッドを低減すると同時に、異なる移動局が同じリソースを使用して上り情報を送信する時に送信される情報が衝突する可能性を低減し、さらに、異なる移動局が同じリソースを使用して上り情報を送信する時に基地局による復号化の複雑度を低減する。
【００５８】
以下、図６を参照して本発明実施例による移動局を説明する。図６には、本発明実施例による移動局６００のブロック図を示す。図６に示すように、移動局６００は、グループ特定部６１０、取得部６２０、選択部６３０とリソース特定部６４０を備える。この四つの部品以外、移動局６００は、さらに、その他の部品を備えてもよいが、これらの部品は、本発明実施例の内容と関係ないため、ここではその図示と説明を省略する。また、本発明実施例に係る移動局６００によって実行される下記操作の詳細は、上記で図４を参照して説明した詳細と同じであるため、ここでは重複を避けるために省略する。
【００５９】
図６に示すように、グループ特定部６１０は、移動局に接続される基地局に対応する複数の移動局グループにおいて、移動局が属する第１の移動局グループを特定する。本発明の一例示によれば、グループ特定部６１０は、移動局のチャネル状態に従って、該移動局が属する第１の移動局グループを特定することができる。例えば、グループ特定部６１０は、移動局の参照信号受信電力に従って、該移動局が属する第１の移動局グループを特定することができる。また、例えば、グループ特定部６１０は、移動局のパスロスに従って、基地局に対応する複数の移動局グループを特定することができる。
【００６０】
そして、取得部６２０は、第１の移動局グループに用いられる上り伝送の第１のリソース設定及びリソースオフセットセットを取得する。例えば、取得部６２０は、移動局において予めそれぞれの移動局グループのリソース設定及びリソースオフセットセットを記憶し、さらに、特定された移動局グループに従って、予め記憶したそれぞれの移動局グループのリソース設定及びリソースオフセットセットから、第１の移動局グループに用いられる上り伝送の第１のリソース設定及びリソースオフセットセットを選択することができる。また、例えば、この場合、移動局６００は、基地局からリソース設定に関する設定情報及びリソースオフセットセットに関するオフセットセット情報を受信する受信部をさらに備えることができる。取得部６２０は、特定された移動局グループに従って、受信した情報に基づいて特定されたそれぞれの移動局グループのリソース設定及びリソースオフセットセットから、第１の移動局グループに用いられる上り伝送の第１のリソース設定及びリソースオフセットセットを選択することができる。
【００６１】
上記したように、上り伝送のリソース設定は、上り伝送に使用できる時間リソースのパターン及び周波数リソースのパターンを含むことができる。例えば、上り伝送のリソース設定は、移動局グループにおける一つの移動局による上り伝送に使用される時間リソースの周期（例えば、伝送時間間隔の数）を指示することができ、さらに、移動局グループによる上り伝送に使用されるサブキャリア（例えば、サブキャリアの数）を指示することができる。
【００６２】
また、パスロスに従ってチャネル状態を特定し、さらにチャネル状態に従って移動局が属する第１の移動局グループを特定する場合、第１の移動局グループのパスロスが複数の移動局グループにおける第２の移動局グループのパスロスよりも小さいとき、第１のリソース設定によって指示される第１の時間リソースは、第１の移動局グループに用いられる上り伝送の第２のリソース設定によって指示される第２の時間リソースよりも少なく、かつ、第１のリソース設定によって指示される第１の周波数リソースは、第２のリソース設定によって指示される第２の周波数リソースよりも多い。
【００６３】
例えば、前記移動局が属する第１の移動局グループにおける移動局は、セル中央エリアに位置される移動局であり、相対的小さいパスロスを有しても良い。さらに、第２の移動局グループにおける移動局は、セルエッジエリアに位置される移動局であり、相対的大きいパスロスを有しても良い。この場合、第１の移動局グループにおける移動局は、相対的少ない再送回数で情報の上り伝送を完了することができるが、第２の移動局グループにおける移動局は、情報を正確に基地局に送信するには相対的多い再送回数が必要する。そこで、第１のリソース設定によって指示される第１の時間リソースは、第２のリソース設定によって指示される第２の時間リソースよりも少なく、かつ、第１のリソース設定によって指示される第１の周波数リソースは、第２のリソース設定によって指示される第２の周波数リソースよりも多い。例えば、第１のリソース設定によって指示される第１の移動局グループによる上り伝送に使用される時間リソースの周期は、第２のリソース設定によって指示される第２の移動局グループによる上り伝送に使用される時間リソースの周期よりも短く、かつ、第１のリソース設定によって指示される第１のサブキャリアは、第２のリソース設定によって指示される第２のサブキャリアよりも多い。
【００６４】
前記移動局が属する第１のリソース設定によって指示される時間及び周波数リソースと、第２のリソース設定によって指示される時間及び周波数リソースとは、少なくとも一部を重ねてもよい。例えば、第１のリソース設定によって指示される時間リソースは、第２のリソース設定によって指示される時間リソースの一部であってもよい。また、例えば、第２のリソース設定によって指示される周波数リソースは、第１のリソース設定によって指示される周波数リソースの一部であってもよい。
【００６５】
また、第２の時間リソースのサイズは、第１の時間リソースのサイズの整数倍であり、それに第１の周波数リソースのサイズは、第２の周波数リソースのサイズの整数倍であってもよい。上記にて図２と図３を参照して時間リソースのサイズ及び周波数リソースのサイズを説明したため、ここでは省略する。
【００６６】
また、取得部６２０によって取得されるリソースオフセットセットは、移動局に接続される基地局に対応する複数の移動局グループの共通リソースオフセットセットであってもよい。前記複数の移動局グループは、異なるリソースオフセットセットに対応してもよい。取得部６２０は、第１の移動局グループに用いられるリソースオフセットセットを取得してもよい。
【００６７】
リソースオフセットセットには複数のリソース候補オフセットを含む。選択部６３０は、リソースオフセットセットに含まれる複数のリソース候補オフセットから、第１のリソース候補オフセットを選択することができる。例えば、リソースオフセットセットに含まれる複数のリソース候補オフセットから、第１のリソース候補オフセットをランダムに選択することができる。また、例えば、所定の確率で第１のリソース候補オフセットを選択することができる。上記式（１）で所定の確率を特定することができる。
【００６８】
また、上り伝送のリソース設定が上り伝送に使用できる時間リソースのパターン及び周波数リソースのパターンを含む場合、選択部６３０は、時間リソースに用いられるリソースオフセットセットに含まれる複数のリソース候補オフセットから、第１の時間リソース候補オフセットを選択し、さらに、周波数リソースに用いられるリソースオフセットセットに含まれる複数のリソース候補オフセットから、第１の周波数リソース候補オフセットを選択することができる。例えば、上記式（２）で時間リソースに用いられるリソース候補オフセットを表すことができる。また、上記式（３）で時間リソースに用いられるリソース候補オフセットを表すことができる。
【００６９】
そして、リソース特定部６４０は、第１のリソース設定及び第１のリソース候補オフセットに従って、移動局の上り伝送リソースを特定することができる。例えば、リソース特定部６４０は、上り伝送参照リソース及び第１のリソース候補オフセットに従って、移動局の上り伝送の開始位置を特定することができ、ここで、上り伝送参照リソースは、複数の移動局グループにおける移動局の共通上り伝送参照リソースである。例えば、上記式（４）で上り伝送の開始時刻を表すことができる。また、上記式（５）で上り伝送の開始周波数を表すことができる。
【００７０】
そして、リソース特定部６４０は、第１のリソース設定及び開始位置に従って、移動局の上り伝送リソースを特定することができる。移動局６００は、リソース特定部６４０によって特定された移動局の上り伝送リソースを使用して基地局へ情報を送信する送信部をさらに備えることができる。
【００７１】
本実施例の移動局では、自身が属する移動局グループを特定することにより上り伝送に用いられるリソース設定を特定し、さらに、該移動局が属する移動局グループのリソース設定及びリソースオフセットセットにおけるリソース候補オフセットに従って、該移動局の上り伝送リソースを特定する。これにより、ＵＬグラント（ＵＬ  Ｇｒａｎｔ）シグナリングに必要なシグナリングオーバーヘッドを低減する。また、同一移動局グループにおける複数の移動局によって同一時間帯において上り伝送を行う必要がある時、複数の移動局は、異なるリソース候補オフセットを選択することができ、よって前記複数の移動局による上り伝送の開始位置が異なることになる。これにより、前記複数の移動局が同一グループに属するためにそれらの第１のリソース設定が同じであっても、開始位置が異なることにより、前記複数の移動局によって送信される信号間の衝突が回避される。
【００７２】
また、基地局による復号化の複雑度を低減するために、同一上り伝送周期において、第１の移動局グループに属される移動局の上り伝送開始時刻（又は終了時刻）は、前記複数の移動局グループにおけるその他のグループに属される移動局の上り伝送開始時刻（又は終了時刻）と同じであってもよい。例えば、取得部６２０によって取得されたリソースオフセットセットは、移動局に接続される基地局に対応する複数の移動局グループの共通リソースオフセットセットであり、それに、第２の時間リソースのサイズは第１の時間リソースのサイズの整数倍であり、第１の周波数リソースのサイズは第２の周波数リソースのサイズの整数倍である場合、複数の移動局グループにおける一つの移動局グループの上り伝送リソースエレメントに従って基本オフセットを特定してもよい。ここで、上り伝送リソースエレメントは、該移動局グループにおける移動局による一回の上り伝送に使用されるリソースである。これにより、第１の移動局グループに属される移動局の上り伝送開始時刻（又は終了時刻）と、その他のグループに属される移動局の上り伝送開始時刻（又は終了時刻）とのずれによって基地局の復号化手順が複雑になる問題を回避する。
【００７３】
また、リソース設定によって指示される一つの上り伝送周期内で、ＭＴＣ技術を採用する移動局は、同じ情報を複数回送信できるため、図６に示す移動局は、第１の移動局グループの上り伝送回数を特定する伝送回数特定部をさらに備えることができる。それに、移動局における送信部は、特定された上り伝送回数に従って、移動局の上り伝送リソースにおいて、同一情報について繰り返して上り伝送を行うことができる。例えば、移動局において予めそれぞれの移動局グループの上り伝送回数に関する情報を記憶し、さらに、伝送回数特定部は、特定された移動局グループに従って、第１の移動局グループの上り伝送回数を取得することができる。また、例えば、受信部は、基地局からそれぞれの移動局グループの上り伝送回数に関する情報を受信し、さらに、伝送回数特定部は、特定された移動局グループに従って、第１の移動局グループの上り伝送回数を取得することができる。また、上り伝送回数の情報は、該移動局グループのリソース設定によって指示される時間リソースにおいて、上り伝送を行う回数を直接指示することができる。上り伝送回数の情報は、該移動局グループの上り伝送リソースエレメントを指示してもよく、移動局は、上り伝送リソースエレメント及び移動局グループのリソース設定によって指示される時間リソースに従って、該移動局グループの上り伝送回数を特定することができる。
【００７４】
上記基地局５００及び移動局６００の操作は、ハードウェアによって実現されてもよいし、プロセッサによって実行されるソフトウェアモジュールによって実現されてもよいし、両者の組合せによって実現されてもよい。例えば、プロセッサによって実行されるソフトウェアモジュールによって、基地局５００における設定特定部５１０及びオフセットセット特定部５２０を実現してもよい。また、例えば、プロセッサによって実行されるソフトウェアモジュールによって、移動局６００におけるグループ特定部６１０、取得部６２０、選択部６３０とリソース特定部を実現してもよい。
【００７５】
ソフトウェアモジュールは、任意のフォーマットの記憶媒体、例えばＲＡＭ（ランダムアクセスメモリ）、フラッシュメモリ、ＲＯＭ（読み取り専用メモリ）、ＥＰＲＯＭ（消去可能なプログラマブルＲＯＭ）、ＥＥＰＲＯＭ（電気的消去可能なプログラマブルＲＯＭ）、レジスタ、ハードディスク、リムーバブルディスク及びＣＤ−ＲＯＭに配置されてもよい。
【００７６】
このような記憶媒体がプロセッサに接続されることにより、プロセッサは、該記憶媒体に情報を書き込んだり、該記憶媒体から情報を読み取ったりすることができる。このような記憶媒体は、さらに、プロセッサに累積されてもよい。このような記憶媒体及びプロセッサは、ＡＳＩＣに配置されてもよい。このようなＡＳＩＣは、基地局５００と移動局６００に配置されてもよい。このような記憶媒体及びプロセッサは、ディスクリートコンポーネントとして、基地局５００及び移動局６００に配置されてもよい。
【００７７】
これにより、上記実施例を使用して本発明を詳細に説明したが、当業者にとっては、本発明がここで説明した実施例に限定されないことは明らかである。本発明は、特許請求の範囲により定まる本発明の範囲を逸脱することなく修正及び変更態様として実現することができる。従って、明細書の記載は、例示説明を目的とするものであり、本発明に対して何ら制限的な意味を有するものではない。
【図１】
2019528631.tif 000003
【図２】
2019528631.tif 000004
【図３】
2019528631.tif 000005
【図４】
2019528631.tif 000006
【図５】
2019528631.tif 000007
【図６】
2019528631.tif 000008
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
移動局に接続される基地局に対応する複数の移動局グループにおいて、前記移動局が属する第１の移動局グループを特定するように配置されるグループ特定部と、
前記第１の移動局グループに用いられる上り伝送の第１のリソース設定及びリソースオフセットセットを取得するように配置される取得部と、
前記リソースオフセットセットに含まれる複数のリソース候補オフセットから、第１のリソース候補オフセットを選択するように配置される選択部と、
前記第１のリソース設定及び前記第１のリソース候補オフセットに従って、前記移動局の上り伝送リソースを特定するように配置されるリソース特定部と、を備える、移動局。
【請求項２】
前記リソース特定部は、
前記複数の移動局グループにおける移動局の共通上り伝送参照リソースである上り伝送参照リソース及び前記第１のリソース候補オフセットに従って、前記移動局の上り伝送の開始位置を特定し、
前記第１のリソース設定及び前記開始位置に従って、前記移動局の上り伝送リソースを特定する、請求項１に記載の移動局。
【請求項３】
前記第１の移動局グループの上り伝送回数を特定するように配置される伝送回数特定部と、
特定された上り伝送回数に従って、前記移動局の上り伝送リソースにおいて、同一情報について繰り返して上り伝送を行う送信部と、をさらに含む、請求項１又は２に記載の移動局。
【請求項４】
前記グループ特定部は、前記移動局のチャネル状態に従って、前記移動局に接続される基地局に対応する複数の移動局グループにおいて、前記移動局が属する第１の移動局グループを特定する、請求項１又は２に記載の移動局。
【請求項５】
前記グループ特定部は、パスロスに従って前記チャネル状態を特定し、さらにチャネル状態に従って移動局が属する第１の移動局グループを特定し、ここで、前記第１の移動局グループのパスロスが複数の移動局グループにおける第２の移動局グループのパスロスより小さい場合、前記第１のリソース設定によって指示される第１の時間リソースは、前記第１の移動局グループに用いられる上り伝送の第２のリソース設定によって指示される第２の時間リソースよりも少なく、かつ、第１のリソース設定によって指示される第１の周波数リソースは、前記第２のリソース設定によって指示される第２の周波数リソースよりも多い、請求項４に記載の移動局。
【請求項６】
前記複数の移動局グループにおける第２の移動局グループの第２のリソース設定によって指示される第２の時間リソースのサイズは、前記複数の移動局グループにおける第１の移動局グループの第１のリソース設定によって指示される前記第１の時間リソースのサイズの整数倍であり、
前記第１のリソース設定によって指示される第１の周波数リソースのサイズは、前記第２のリソース設定によって指示される前記第２の周波数リソースのサイズの整数倍である、請求項４に記載の移動局。
【請求項７】
前記リソースオフセットセットは、前記複数の移動局グループに用いられる共通リソースオフセットセットである、請求項１又は２に記載の移動局。
【請求項８】
前記共通リソースオフセットセットにおけるそれぞれのリソース候補オフセットは、基本オフセットの整数倍である、請求項７に記載の移動局。
【請求項９】
前記取得部は前記複数の移動局グループにおける一つの移動局グループの上り伝送リソースエレメントに従って前記基本オフセットを特定し、上り伝送リソースエレメントは、該移動局グループにおける移動局による一回の上り伝送に使用されるリソースである、請求項８に記載の移動局。
【請求項１０】
基地局に対応する複数の移動局グループにおけるそれぞれの移動局グループについて、該移動局グループに用いられる上り伝送のリソース設定を特定するように配置される設定特定部と、
前記基地局に接続される移動局が、該移動局の属する移動局グループのリソース設定及びリソースオフセットセットにおけるリソース候補オフセットに従って、該移動局の上り伝送リソースを特定するように、前記複数の移動局グループに用いられる、複数のリソース候補オフセットを含む前記リソースオフセットセットを特定するように配置されるオフセットセット特定部と、を備える、基地局。
【請求項１１】
前記設定特定部は、前記基地局に対応する複数の移動局グループにおけるそれぞれの移動局グループについて、該移動局グループに対応するチャネル状態に従って、該移動局グループに用いられる上り伝送のリソース設定を特定する、請求項１０に記載の基地局。
【請求項１２】
前記設定特定部は、パスロスに従って前記チャネル状態を特定し、さらにチャネル状態に従って移動局が属する第１の移動局グループを特定し、ここで、
前記複数の移動局グループにおける第１の移動局グループの第１のリソース設定を特定し、
前記複数の移動局グループにおける第２の移動局グループの第２のリソース設定を特定し、
前記第１の移動局グループのパスロスが前記第２の移動局グループのパスロスより小さい場合、前記第１のリソース設定によって指示される第１の時間リソースは、前記第２のリソース設定によって指示される第２の時間リソースよりも少なく、かつ、第１のリソース設定によって指示される第１の周波数リソースは、前記第２のリソース設定によって指示される第２の周波数リソースよりも多い、請求項１１に記載の基地局。
【請求項１３】
前記複数の移動局グループにおける第２の移動局グループの第２のリソース設定によって指示される第２の時間リソースのサイズは、前記複数の移動局グループにおける第１の移動局グループの第１のリソース設定によって指示される前記第１の時間リソースのサイズの整数倍であり、
前記第１のリソース設定によって指示される第１の周波数リソースのサイズは、前記第２のリソース設定によって指示される前記第２の周波数リソースのサイズの整数倍である、請求項１０ないし１２のいずれか一項に記載の基地局。
【請求項１４】
移動局によって実行されるリソース特定方法であって、
前記移動局に接続される基地局に対応する複数の移動局グループにおいて、前記移動局が属する第１の移動局グループを特定することと、
前記第１の移動局グループに用いられる上り伝送の第１のリソース設定及びリソースオフセットセットを取得することと、
前記リソースオフセットセットに含まれる複数のリソース候補オフセットから、第１のリソース候補オフセットを選択することと、
前記第１のリソース設定及び前記第１のリソース候補オフセットに従って、前記移動局の上り伝送リソースを特定することを含む、リソース特定方法。
【請求項１５】
基地局によって実行されるリソース特定方法であって、
前記基地局に対応する複数の移動局グループにおけるそれぞれの移動局グループについて、該移動局グループに用いられる上り伝送のリソース設定を特定することと、
前記基地局に接続される移動局が、該移動局の属する移動局グループのリソース設定及びリソースオフセットセットにおけるリソース候補オフセットに従って、該移動局の上り伝送リソースを特定するように、前記複数の移動局グループに用いられる、複数のリソース候補オフセットを含む前記リソースオフセットセットを特定することを含む、リソース特定方法。
【国際調査報告】
2019528631.tif 000009
2019528631.tif 000010
2019528631.tif 000011
2019528631.tif 000012